(57)【要約】【課題】袋体の口部を支持するものでありながら、袋体を容易に着脱することが可能となる袋体保持具を提供する。【解決手段】口部が弾性変形する袋体を、当該口部が拡げられて内部が開放された状態に保持する袋体保持具であって、離間配置された少なくとも３個の支持部を備え、前記支持部それぞれが、前記口部を縮める内側向きの付勢に抗して前記口部を支持することにより、前記保持がなされる袋体保持具とする。【選択図】図４
2018062409.tif 000002
【特許請求の範囲】
【請求項１】
口部が弾性変形する袋体を、当該口部が拡げられて内部が開放された状態に保持する袋体保持具であって、
離間配置された少なくとも３個の支持部を備え、
前記支持部それぞれが、前記口部を縮める内側向きの付勢に抗して前記口部を支持することにより、前記保持がなされることを特徴とする袋体保持具。
【請求項２】
フレームの下側に前記袋体を保持する請求項１に記載の袋体保持具であって、
前記フレームから下側寄りへ突出するように、前記支持部それぞれを有する各爪部が設けられたことを特徴とする袋体保持具。
【請求項３】
前記爪部それぞれは、
前記支持部の下側寄りに連接するとともに、当該支持部よりも外側寄りに位置する離脱抑制部を有することを特徴とする請求項２に記載の袋体保持具。
【請求項４】
前記爪部それぞれにおいて、
前記支持部を含む第１要素と前記離脱抑制部を含む第２要素が、前記フレームの側から順に連接するように形成されたことを特徴とする請求項３に記載の袋体保持具。
【請求項５】
少なくとも一つの前記爪部において、
第１要素は、下方向から内側に向けて傾斜した方向へ伸びていることを特徴とする請求項４に記載の袋体保持具。
【請求項６】
少なくとも一つの前記爪部において、
第２要素の少なくとも一部は、前記支持部よりも上側寄りに位置することを特徴とする請求項４または請求項５に記載の袋体保持具。
【請求項７】
少なくとも一つの前記爪部において、
第２要素は、外側向きから下側に向けて傾斜した方向へ伸びていることを特徴とする請求項４から請求項６の何れかに記載の袋体保持具。
【請求項８】
一部の前記爪部である特定爪部において、
第２要素の少なくとも一部は、前記支持部よりも上側寄りに位置しており、
その他の前記爪部それぞれにおいて、
第２要素は、外側向きから下側に向けて傾斜した方向へ伸びていることを特徴とする請求項４または請求項５に記載の袋体保持具。
【請求項９】
前記フレームから伸びる持ち手部を有し、
前記持ち手部に最も近い一つの前記爪部のみが、前記特定爪部であることを特徴とする請求項８に記載の袋体保持具。
【請求項１０】
前記フレームは、上方視略多角形の外縁形状を有し、その内側に形成されたスペースを介して前記袋体の内部を上方へ開放するものであって、
前記爪部それぞれは、前記フレームにおける当該多角形の頂点近傍から突出していることを特徴とする請求項２から請求項９の何れかに記載の袋体保持具。
【請求項１１】
１本の金属製の線材を用いたワイヤーフォーミングにより、前記フレームおよび前記爪部それぞれが一体的に形成されたことを特徴とする請求項２から請求項１０の何れかに記載の袋体保持具。
【発明の詳細な説明】
【技術分野】
【０００１】
本発明は、袋体を保持する袋体保持具に関する。
【背景技術】
【０００２】
従来、各種用途に袋体が広く利用されている。例えば袋体の一種である水切りネットは、細かい網目を有した袋状となっており、中に入れた生ゴミの水分を網目から排出させることができる。これにより生ゴミの量を減らし、ゴミの処理負担を軽減させることが可能である。
【０００３】
上記の水切りネットは、一般的には、流し台の隅に置かれるゴミ入れ容器に被せて利用される。このようにすれば、ゴミ入れ容器から袋体ごと生ゴミを取り除くことができ便利である。更に特許文献１の図９〜図１６およびその説明には、網袋の上方辺を円輪の内側から外側に折曲げ、当該網袋の網目を小フック状爪に係止して形成されるシンク用生ごみ投入具が開示されている。
【先行技術文献】
【特許文献】
【０００４】
【特許文献１】実用新案登録第３０７８６５５号公報
【発明の概要】
【発明が解決しようとする課題】
【０００５】
水切りネットをゴミ入れ容器に被せて利用する形態の場合、袋体の網目から排出された水分等によってゴミ入れ容器が汚れてしまい、ぬめりが発生したり不衛生な状態となったりする問題がある。一方、特許文献１に開示された上記のシンク用生ごみ投入具によれば、袋体の口部を支持するだけで良いため、小型化が容易であるとともに、袋体の網目から排出された水分等による用具の汚れは生じ難い。
【０００６】
しかしながら当該シンク用生ごみ投入具については、袋網を円輪へ装着するにあたり、網袋の上方辺を円輪の内側から外側に折曲げた上で、当該網袋の網目を小フック状爪に係止する作業が必要となる。このような作業は比較的面倒である。また、袋網を円輪から外す際には各小フック状爪から網目を抜く必要があり、このような手間を要する分、袋網に付いていたゴミが手に触れて汚れ易くなる。
【０００７】
本発明は上述した問題点に鑑み、袋体の口部を支持するものでありながら、袋体を容易に着脱することが可能となる袋体保持具の提供を目的とする。
【課題を解決するための手段】
【０００８】
本発明に係る袋体保持具は、口部が弾性変形する袋体を、当該口部が拡げられて内部が開放された状態に保持する袋体保持具であって、離間配置された少なくとも３個の支持部を備え、前記支持部それぞれが、前記口部を縮める内側向きの付勢に抗して前記口部を支持することにより、前記保持がなされる構成とする。本構成によれば、袋体の口部を支持するものでありながら、袋体を容易に着脱することが可能となる。
【０００９】
また上記構成としてより具体的には、フレームの下側に前記袋体を保持する袋体保持具であって、前記フレームから下側寄りへ突出するように、前記支持部それぞれを有する各爪部が設けられた構成としてもよい。本構成によれば、簡易な構成としながらも、支持部を適切に形成することが容易となる。
【００１０】
また上記構成としてより具体的には、前記爪部それぞれは、前記支持部の下側寄りに連接するとともに、当該支持部よりも外側寄りに位置する離脱抑制部を有する構成としてもよい。本構成によれば、離脱抑制部を設けない場合に比べ、袋体が支持部から下方へ意図せずに離脱する事態を抑制することが可能となる。
【００１１】
また上記構成としてより具体的には、前記爪部それぞれにおいて、前記支持部を含む第１要素と前記離脱抑制部を含む第２要素が、前記フレームの側から順に連接するように形成された構成としてもよい。本構成によれば、支持部と離脱抑制部を有する爪部が、簡易な構成により実現可能となる。
【００１２】
また上記構成としてより具体的には、少なくとも一つの前記爪部において、第１要素は、下方向から内側に向けて傾斜した方向へ伸びている構成としてもよい。本構成によれば、袋体の口部が勝手にずれ上がるような事態を抑えることが可能となる。なお、ここでの傾斜の角度は一定であっても良く、位置によって変化しても良い。
【００１３】
また上記構成としてより具体的には、少なくとも一つの前記爪部において、第２要素の少なくとも一部は、前記支持部よりも上側寄りに位置する構成としてもよい。本構成によれば、袋体の口部が爪部から意図せずに離脱することをより確実に防ぐことが可能となる。
【００１４】
また上記構成としてより具体的には、少なくとも一つの前記爪部において、第２要素は、外側向きから下側に向けて傾斜した方向へ伸びている構成としてもよい。本構成によれば、袋体を下向きに引張るだけで、当該傾斜をスライドさせるようにして袋体の口部を爪部から離脱させることが可能となる。なお、ここでの傾斜の角度は一定であっても良く、位置によって変化しても良い。
【００１５】
また上記構成としてより具体的には、一部の前記爪部である特定爪部において、第２要素の少なくとも一部は、前記支持部よりも上側寄りに位置しており、その他の前記爪部それぞれにおいて、第２要素は、外側向きから下側に向けて傾斜した方向へ伸びている構成としてもよい。なお、ここでの傾斜の角度は一定であっても良く、位置によって変化しても良い。また当該構成としてより具体的には、前記フレームから伸びる持ち手部を有し、前記持ち手部に最も近い一つの前記爪部のみが、前記特定爪部である構成としてもよい。
【００１６】
また上記構成としてより具体的には、前記フレームは、上方視略多角形の外縁形状を有し、その内側に形成されたスペースを介して前記袋体の内部を上方へ開放するものであって、前記爪部それぞれは、前記フレームにおける当該多角形の頂点近傍から突出している構成としてもよい。本構成によれば、フレームの形状と袋体の開口形状とが概ね一致し、使用者にとって袋体の開口位置が直感的に把握し易くなる。また、使用者にとって各爪部の位置が直感的に把握し易くなり、各爪部への袋体の口部の着脱がより容易となる。
【００１７】
また上記構成としてより具体的には、１本の金属製の線材を用いたワイヤーフォーミングにより、前記フレームおよび前記爪部それぞれが一体的に形成された構成としてもよい。本構成によれば、製造コストを抑えることができ、形状等の仕様を適宜変更することも容易となる。
【発明の効果】
【００１８】
本発明に係る袋体保持具によれば、袋体の口部を支持するものでありながら、袋体を容易に着脱することが可能となる。
【図面の簡単な説明】
【００１９】
【図１】本実施形態に係る袋体保持具Ｘの外観斜視図である。
【図２】袋体保持具Ｘの上方視点による外観図である。
【図３】袋体保持具Ｘにより保持され得る袋体Ｙの外観図である。
【図４】袋体Ｙを保持している袋体保持具Ｘの外観斜視図である。
【図５】袋体Ｙを保持している袋体保持具Ｘの上方視点による外観図である。
【図６】袋体Ｙを保持している袋体保持具Ｘの使用例に関する説明図である。
【図７】本実施形態に係る爪部２の形状の具体例に関する説明図である。
【図８】本実施形態に係る爪部形状の組合わせに関する表である。
【発明を実施するための形態】
【００２０】
本発明の実施形態の一例について、各図面を参照しながら以下に説明する。但し本発明の内容は、これらの実施形態に何ら限定されるものではない。なお、以下の説明における上下の方向は、各爪部２ａ〜２ｅにおける袋体Ｙの口部Ｙ１による付勢方向（図５を参照）と直交する方向であり、袋体Ｙが開口する向きを上方とする。
【００２１】
図１は、本実施形態に係る袋体保持具Ｘの外観斜視図である。また図２は、袋体保持具Ｘの上方視点による外観図である。図１および図２に示すように袋体保持具Ｘは、１本の金属製の線材を用いたワイヤーフォーミングにより、フレーム部１、５個の爪部２ａ〜２ｅ（以下、これらを「爪部２」と総称することがある）、持ち手部３、および鉤状部４が一体的に形成されている。
【００２２】
より具体的に説明すると、フレーム部１および爪部２は、一筆書きの要領で一体となるように線材を曲げて形成されており、持ち手部３は、線材の両端近傍を合わせてツイストさせるように曲げて形成されている。線材としては、例えば、断面が直径２mmから３mm程度の円形であるステンレス製の針金などが好適である。
【００２３】
このようなワイヤーフォーミングにより形成される袋体保持具Ｘは、比較的容易に製造可能であって製造コストを抑えることができ、形状等の仕様を適宜変更することも容易であるとともに、大量生産にも好適である。またワイヤーフォーミングにより、強度や美しさにも優れた袋体保持具を得ることが可能である。但し、本発明に係る袋体保持具の形成手法はこれに限定されるものではなく、例えば、各爪部をフレームに溶接固定する手法、プラスチック成型により形成する手法、金属等の板材を加工して形成する手法、あるいは木材等の削り出しにより形成する手法など、種々の手法が採用され得る。
【００２４】
フレーム部１は、上方視により概ね正五角形（図２にＡ〜Ｅで示す各頂点を有した五角形）の外縁形状となるように形成されている。当該正五角形の各頂点Ａ〜Ｅの位置においては、フレーム部１から略下方へ突出するように爪部２ａ〜２ｅが設けられている。詳しくは後述するが、各爪部２は袋体Ｙを引掛ける爪の役割を果たす。フレーム部１の内側、すなわち、上記正五角形の外縁形状の内側には、上側と下側を連通するスペースＳＰが形成されている。また上記正五角形の頂点Ａの位置においては、フレーム部１から外向き（スペースＳＰの中心に向かう方向とは逆向き）へ伸びるように持ち手部３が設けられている。更に持ち手部３の端部には、Ｕターンするように曲げられた鉤状部４が設けられている。
【００２５】
持ち手部３は、使用者が袋体保持具１を持ち易くするための部分であり、人の手で握り易い形状および寸法に形成されている。鉤状部４は、例えば袋体保持具Ｘを使用しないときに、袋体保持具Ｘを壁等に引掛けておくために利用される。なお持ち手部３に相当する部分には、例えば吸盤などを設けておき、袋体保持具Ｘを流し台等へ取付け固定できるようにしても良い。
【００２６】
図３は、袋体保持具Ｘにより保持され得る袋体Ｙ（本実施形態では水切りネット）の外観図である。袋体Ｙは全体的に網目状となっており、その開口端にある口部Ｙ１は、ゴム等の弾性材質により弾性変形するように形成されている。なお本発明に係る袋体の口部は、拡げることにより袋体を開口させることが出来る部分であれば、当該袋体の開口端にある形態に限定されず、例えば、開口端から底部側へある程度ずらした位置に設けられていても構わない。
【００２７】
図４は、袋体Ｙを装着した袋体保持具Ｘの外観斜視図であり、図５は、袋体Ｙを装着した袋体保持具Ｘの上方視点による外観図である。なお図４の下側には、破線枠で囲まれた部分の拡大図を示している。
【００２８】
袋体保持具Ｘに袋体Ｙを装着すると、これらの図に示すように、各爪部２が口部Ｙ１を内側から支持するようにして、袋体Ｙが袋体保持具Ｘに保持される。例えば、フレーム１の下に袋体Ｘをセットしておき、口部Ｙ１を弾性力に逆らって伸ばしながら各爪部２の外側へ順に係合させることにより、このように袋体Ｙを装着することが出来る。伸ばした状態の口部Ｙ１は内向きの弾性力がはたらくため、各爪部２の外側に口部Ｙ１をセットするだけで口部Ｙ１は各爪部２へ自然に密着し、当該装着を簡単に行うことが可能である。なお本実施形態では図４の下側に示すとおり、各爪部２は第１要素２１と第２要素２２の間が折り曲げられており、この折り曲げられた部分の近傍（第１要素２１の下端部近傍）で口部Ｙ１が支持される。
【００２９】
各爪部２を周方向へ順に結んだ線の長さ（概ね、五角形の各辺の長さの合計）は、口部Ｙ１の初期状態での周方向長さよりも長く設定されている。そのため、図４および図５に示す状態では、口部Ｙ１は初期状態よりも伸びており、縮む方向への弾性力を生じる。これにより図５に示すように、口部Ｙ１は実線矢印で示す方向への付勢を生じており、各爪部２は、当該付勢に抗して口部Ｙ１を支持することになる。なお以下の説明では、実線矢印で示す付勢方向を内側向きとし、点線矢印で示す方向（当該付勢方向とは逆の方向）を外側向きとする。
【００３０】
袋体保持具Ｘに袋体Ｙを装着しておけば、フレーム１の内側に形成されたスペースＳＰを介して、フレーム１の下方に保持された袋体Ｙの内部は上方へ常時開放される。この状態で例えば図６に示すように、使用者が持ち手部３を持ちながら、上から袋体Ｙの内部へ生ゴミ等（図６に示す例では、カップ入り麺の残り汁や食べ残し分）を投入することが可能である。
【００３１】
この際に使用者は、手に持った袋体保持具Ｘを流し台の排水口のほぼ真上にセットしておけば、袋体Ｙの網目から排出された水分等を直接排水口へ流すことができ、流し台を極力汚さないようにすることが可能である。特に、会社や事業所等に設置された共用の流し台等は、極力汚さずに使用しなければならないことが多く、このような状況下において本実施形態の袋体保持具Ｘは極めて有用である。共用の流し台等に袋体保持具Ｘと複数の袋体Ｙをセットで用意しておけば、複数人が同じ袋体保持具Ｘを使い回して利用することができ、非常に便利である。なお、袋体保持具Ｘは軽量かつ小型であるため、各人の携帯用としても適している。
【００３２】
袋体Ｙへ生ゴミ等を投入した後は、袋体保持具Ｘから袋体Ｙを取り外して、袋体Ｙごと生ゴミ等を捨てれば良い。その後は、別の新しい袋体Ｙを装着することにより、袋体保持具Ｘを再度利用することが出来る。口部が弾性的に変形する水切りネットは各種市販されており、これを本実施形態の袋体Ｙとして利用しても良い。なお、生ゴミ等で満杯になるまで同じ袋体Ｙを繰返し用いても良く、一旦使用した袋体Ｙを捨てずに洗って再利用するようにしても良い。
【００３３】
爪部２の具体的形状については、口部Ｙ１を付勢に抗して適切に支持し得る限り、種々の形状を採用することが可能である。その一方で、爪部２に設けた第１要素２１と第２要素２２（図４の下側を参照）の配置角度等を工夫し、より利便性の高い袋体保持具Ｘとすることも可能である。このように工夫された爪部２の形状として、タイプＡとタイプＢを例に挙げ、図７を参照しながら以下に説明する。
【００３４】
図７（ａ）は、タイプＡの爪部２の形状を模式的に示している。タイプＡの爪部２においては、第１要素２１と第２要素２２が、フレーム１の側から順に連接するように形成されている。なお第１要素２１には、口部Ｙ１を付勢に抗して支持する支持部２１ａが含まれる。また第２要素２２には、支持部２１ａの下側寄りに連接するとともに、支持部２１ａよりも外側寄りに位置する離脱抑制部が含まれる。
【００３５】
離脱抑制部があることにより、支持部２１ａに支持されている口部Ｙ１が爪部２から離脱するためには、口部Ｙ１が少なくとも離脱抑制部の分だけ（図７に示す距離Ｌの分だけ）弾性力に逆らって拡径する必要がある。この原理により離脱抑制部は、離脱抑制部が無い場合に比べて、口部Ｙ１が爪部２から意図せずに離脱することを抑制するように機能する。
【００３６】
またタイプＡにおける第１要素２１は、下方向から内側に向けて角度θ１だけ傾斜した方向へ伸びている。このような傾斜を設けたことにより、内側向きの付勢を利用して口部Ｙ１を第１要素２１の下側に極力留め、口部Ｙ１が勝手にずれ上がるような事態を抑えることが可能である。傾斜の角度θ１は一定であっても良く、位置によって変化しても良い。例えば、下方へ進むにつれて、角度θ１が徐々に小さくなるようにしても良い。
【００３７】
またタイプＡにおける第２要素２２は、外側向きから上側に向けて角度θ２だけ傾斜した方向へ伸びている。このような傾斜を設けたことにより、例えば生ゴミ等の投入時に袋体Ｙが下向き又は斜め下向きの力を受けた際にも、口部Ｙ１が爪部２から意図せずに離脱することをより確実に防ぐことが可能である。上記の各傾斜の角度θ１およびθ２は、製品仕様などに応じて任意に設定可能であるが、一例として、角度θ１およびθ２は３０°程度に設定され得る。傾斜の角度θ２は一定であっても良く、位置によって変化しても良い。
【００３８】
口部Ｙ１を爪部２から意図的に離脱させる際（袋体Ｙを袋体保持具Ｘから取り外す際）には、第２要素２２へ引っ掛らないように口部Ｙ１を外側向きに引張りながら、下方へ移動させれば良い。なお、口部Ｙ１が爪部２から意図せずに離脱することをより確実に防ぐ効果は、第２要素２２の少なくとも一部を支持部２１ａよりも上側寄りに位置させることで得られ、このようにするための具体的形態は、上記θ２の傾斜を設けるような形態には限られない。また、第２要素２２を外側向きに伸びる形態（角度θ２を概ね０°とした形態）とした場合でも、意図しない口部Ｙ１の離脱を生じ難くすることは可能である。
【００３９】
一方で図７（ｂ）は、タイプＢの爪部２の形状を模式的に示している。タイプＢにおいても、第１要素２１と第２要素２２がフレーム１の側から順に連接するように形成されており、第１要素２１に支持部２１ａが含まれる点、および第２要素２２に離脱抑制部が含まれる点は、タイプＡと同様である。また、第１要素２１が下方向から内側に向けてθ１だけ傾斜した方向へ伸びている点も、タイプＡと同様である。
【００４０】
但しタイプＢにおける第２要素２２は、外側向きから下側に向けて角度θ３だけ傾斜した方向へ伸びている。このような傾斜を設けたことにより、例えば袋体Ｙに生ゴミ等を投入した後、使用者が袋体Ｙを袋体保持具Ｘから取り外そうとして袋体Ｙを下向きに引張るだけで、当該傾斜をスライドさせるようにして口部Ｙ１を爪部２から離脱させることが可能である。なお当該傾斜の角度θ３は、袋体Ｙに生ゴミ等を投入するときの衝撃および投入された生ゴミ等の重み程度では口部Ｙ１が爪部２から離脱しない一方、使用者が手で袋体Ｙを引張る程度の力で口部Ｙ１を爪部２から離脱させることができる程度に、適切に設定されることが望ましい。一例として角度θ３は、３０°程度に設定され得る。傾斜の角度θ３は一定であっても良く、位置によって変化しても良い。例えば、外側向きへ進むにつれて、角度θ３が徐々に大きくなるようにしても良い。
【００４１】
上述のことから、タイプＡの形状は、爪部２から口部Ｙ１が意図せずに離脱することをより確実に防ぎ得る点で有利であり、タイプＢの形状は、下方へ引張って爪部２から口部Ｙ１をより容易に離脱させ得る点で有利である。なお、全ての爪部２において同じタイプの形状を採用しても良く、一部に異なるタイプの形状を採用しても構わない。どの爪部２にどのタイプの形状を採用するか（爪部形状の組合わせ）は、製品の仕様や用途などを考慮して決定すれば良い。爪部形状の組合わせの一例としては、図８に示す実施例１〜３の形態が挙げられる。
【００４２】
実施例１に係る組合わせは、全ての爪部２についてタイプＡの形状を採用したものである。実施例１の組合わせによれば、何れの爪部２ついても口部Ｙ１が勝手に離脱することを極力防ぐことができ、袋体Ｙへ生ゴミ等の投入する際に袋体Ｙが脱落するようなリスクを最小限に抑えることが可能である。
【００４３】
実施例２に係る組合わせは、全ての爪部２についてタイプＢの形状を採用したものである。実施例２の組合わせによれば、使用者が袋体Ｙを袋体保持具Ｘから取り外そうとして袋体Ｙを下向きに引張るだけで、何れの爪部２からも口部Ｙ１を離脱させることができ、袋体保持具Ｘから袋体Ｙを極めて簡単に取外すことが可能である。
【００４４】
実施例３に係る組合わせは、一つの爪部２ａ（本発明に係る特定爪部の一形態）についてタイプＡの形状を採用し、その他の爪部（２ｂ〜２ｅ）についてタイプＢの形状を採用したものである。実施例３の組合わせによれば、使用者が袋体Ｙを袋体保持具Ｘから取り外そうとして袋体Ｙを下向きに引張ると、タイプＢの爪部（２ｂ〜２ｅ）から口部Ｙ１を離脱させることができる。その後、タイプＡの爪部２ａについてのみ口部Ｙ１を少し持ち上げて離脱させるだけで、袋体Ｙを袋体保持具Ｘから取り外すことが出来る。
【００４５】
また実施例３に係る組合わせによれば、生ゴミ等の投入時などにおいて袋体Ｙに想定外の強い力が加わってしまい、タイプＢの爪部（２ｂ〜２ｅ）から口部Ｙ１が意図せずに離脱したとしても、タイプＡの爪部２ａについては口部Ｙ１が離脱しない。そのため、袋体Ｙを袋体保持具Ｘにぶら下がった状態に留めることができ、袋体保持具Ｘから完全に脱落してしまう事態は回避される。このように当該組合わせによれば、袋体Ｙを袋体保持具Ｘから簡単に取り外すことが出来るとともに、袋体Ｙが意図せずに完全に脱落することを抑えることが可能である。
【００４６】
なお、どの爪部２をタイプＡとするかは任意であるが、実施例３では、持ち手部３に最も近い爪部２ａをタイプＡとしているため、持ち手部３を持っている使用者が袋体保持具Ｘを誤って落としてしまうリスクは極力軽減される。すなわち、上記のぶら下がった状態となった場合には、袋体２を支えている爪部２に生ゴミ等の重みや衝撃が集中する。この爪部２が持ち手部４から近い位置にあるほど、てこの原理により使用者が受ける荷重は小さくなるため、上記のリスクは軽減されることになる。また実施例３では、一つの爪部２ａのみをタイプＡとしているが、２個、３個、又は４個の爪部２をタイプＡとしても良い。一部の爪部２をタイプＡとし、その他の爪部２をタイプＢとすれば、袋体Ｙを下方へ引張ってタイプＢの爪部２から口部Ｙ１を容易に離脱させ得るとともに、タイプＡの爪部２によって袋体Ｙの意図しない脱落を防ぐことが可能である。
【００４７】
以上に説明したとおり、本実施形態に係る袋体保持具Ｘは、口部Ｙ１が弾性変形する袋体Ｙを、口部Ｙ１が拡げられて内部が開放された状態に保持する。また袋体保持具Ｘは、離間配置された５個の支持部２１ａ（爪部２ａ〜２ｂのそれぞれに設けられている）を備え、支持部２１ａそれぞれが、口部Ｙ１を縮める内側向きの付勢に抗して口部Ｙ１を支持することにより、当該保持がなされる。
【００４８】
このような構成の袋体保持具Ｘによれば、袋体Ｙの口部Ｙ１を支持するものであるため、小型化が容易であるとともに、袋体Ｙの網目から排出された水分等による用具の汚れは生じ難い。また袋体保持具Ｘによれば、口部Ｙ１の弾性力を活かして、口部Ｙ１を各爪部２の外側へ係合させるだけで袋体Ｙが装着可能であり、例えば特許文献１に開示された用具に比べ、袋体Ｙを比較的容易に着脱することが可能である。
【００４９】
特に本実施形態では、フレーム１の下側に袋体Ｙを保持するようになっており、フレーム１から下側寄りへ突出するように、支持部２１ａそれぞれを有する各爪部２が設けられている。そのため袋体保持具Ｘは、簡易な構成としながらも、支持部２１ａを適切に形成することが容易である。
【００５０】
なお本実施形態では、口部Ｙ１を支持するための５個の支持部２１ａを設けているが、支持部２１ａの個数を３個または４個としても良く、６個以上としても良い。また支持部の個数をＮ個（Ｎ≧３）とする場合、上方視によるフレーム１の形状をＮ角形（望ましくは正Ｎ角形）の外縁形状としておき、その各頂点付近において各支持部２１ａを設けることが好ましい。このようにすれば、隣合う頂点同士は直線状のフレーム１で結ばれる形態となり、強度的に有利であるとともに、フレーム１の形状と袋体Ｙの開口形状とを概ね一致させることが可能である。
【００５１】
これらの形状が概ね一致することにより、使用者にとっては袋体Ｙの開口の位置が直感的に把握し易くなり、生ゴミ等を袋体Ｙ内部へ的確に投入することがより容易となる。また、フレーム１の各頂点に対応して各爪部２を設けたため、使用者にとっては各爪部２の位置が直感的に把握し易くなり、各爪部２への口部Ｙ１の着脱がより容易となる。但し、本発明に係る袋体保持具のフレームの形状は上記形態に限定されるものではなく、例えば、上方視円形或いは楕円形の形状としても構わない。
【００５２】
また、本実施形態にかかる袋体保持具Ｘは、水切りネットを装着して生ゴミ等を処理する用途に好適であるが、本発明に係る袋体保持具は他の用途にも応用可能である。例えば本発明に係る袋体保持具は、袋体を装着して、浴槽や水槽などに浮かんでいる異物をすくって除去するための用具としても良く、動物（ペット等）の排泄物を受けるための用具としても良い。
【００５３】
以上、本発明の実施形態について説明したが、本発明の構成は上記実施形態に限られず、発明の主旨を逸脱しない範囲で種々の変更を加えることが可能である。すなわち上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【００５４】
本発明は、袋体を保持する各種の袋体保持具に利用可能である。
【符号の説明】
【００５５】
１                フレーム
２、２ａ〜２ｅ    爪部
２１              第１要素
２１ａ            支持部
２２              第２要素
３      持ち手部
４      鉤状部
Ｘ      袋体保持具
Ｙ      袋体
Ｙ１    口部
ＳＰ    スペース
【図１】
2018062409.tif 000003
【図２】
2018062409.tif 000004
【図３】
2018062409.tif 000005
【図４】
2018062409.tif 000006
【図５】
2018062409.tif 000007
【図６】
2018062409.tif 000008
【図７】
2018062409.tif 000009
【図８】
2018062409.tif 000010